(57)【要約】【課題】操作画面が切り替わった際に、切り替わり前後で同じ設定項目が表示されている位置が異なっていても、切り替わり後に設定項目がどこに表示されているかが容易に分かるようにした表示装置、表示方法、およびプログラムを提供する。【解決手段】複数用意された設定項目の中から使用する設定項目を選択するための操作画面（スーパーコントロール画面２０）を表示部に表示させ、操作画面から別の操作画面に切り替えるために操作部材１３９ｄが操作されると、操作画面（スーパーコントロール画面２０）から別の操作画面（ライブコントロール画面３０）に切り替わりを示す遷移画像２１ａ、２２ｂ、２２ｃを表示させ、この切り替わる際における設定項目の表示位置の変化を表示させる（アスペクト比２２ｂ、２２ｃ、２２ｄ）。【選択図】  図３
2015219818.tif 000002
【特許請求の範囲】
【請求項１】
表示部を有する表示装置において、
複数用意された設定項目の中から使用する設定項目を選択するための操作画面を上記表示部に表示させ、上記操作画面から別の操作画面に切り替わりを表示させる表示制御部と、
上記操作画面から別の操作画面に切り替えるために操作する操作部と、
を具備し、
上記表示制御部は、上記操作画面から別の操作画面に切り替わるときに、上記設定項目の表示態様の変化を表示させることを特徴とする表示装置。
【請求項２】
上記表示制御部は、上記操作画面が切り替わるときに、上記設定項目の表示位置の遷移状態を表示することを特徴とする請求項１に記載の表示装置。
【請求項３】
上記表示制御部は、上記操作画面が切り替わるときに、上記設定項目の表示位置が変化するものを他の設定項目とは異なる表示とすることを特徴とする請求項１に記載の表示装置。
【請求項４】
上記表示制御部は、上記操作画面が切り替わるときに、上記設定項目の表示位置が変化すると共にその大きさも変化して表示することを特徴とする請求項１に記載の表示装置。
【請求項５】
表示部を有する表示装置における表示方法において、
複数用意された設定項目の中から使用する設定項目を選択するための操作画面を上記表示部に表示させる表示ステップと、
上記操作画面から別の操作画面に切り替えるために操作がなされたかを検出する操作検出ステップと、
上記操作検出ステップにおいて、切り替えのための操作がなされたことを検出した場合に、上記操作画面から別の操作画面に切り替わりを表示させる表示切替ステップと、
を具備し、
上記表示切替ステップは、上記操作画面から別の操作画面に切り替わるときに、上記設定項目の表示態様の変化を表示させることを特徴とする表示方法。
【請求項６】
表示部を有する表示装置におけるコンピュータを実行させるためのプログラムにおいて、
複数用意された設定項目の中から使用する設定項目を選択するための操作画面を上記表示部に表示させる表示ステップと、
上記操作画面から別の操作画面に切り替えるために操作がなされたかを検出する操作検出ステップと、
上記操作検出ステップにおいて、切り替えのための操作がなされたことを検出した場合に、上記操作画面から別の操作画面に切り替わりを表示させる表示切替ステップと、
を具備し、
上記表示切替ステップは、上記操作画面から別の操作画面に切り替わるときに、上記設定項目の表示態様の変化を表示させる、
ことを上記コンピュータに実行させることを特徴とするプログラム。
【発明の詳細な説明】
【技術分野】
【０００１】
本発明は、複数の操作画像を切り替えて表示可能な表示装置、表示方法、およびプログラムに関する。
【背景技術】
【０００２】
従来より、種々の機器において、設定項目を変更するための操作画面を複数用意しておき、ユーザは好みの操作画面を表示させ、各種設定項目の変更を行っている。操作画面としては、例えば、パーソナルコンピュータ（ＰＣ）の操作画面があり、このＰＣの操作画面では、アイコンの大きさを変更したり、またリスト形式で表示する等、表示形式の変更を行うことができる。
【０００３】
また、スマートフォン用のアプリケーションソフトとして、複数の画面を、１つの画面において同時に表示するものも提供されている（非特許文献１参照）。さらに、特許文献１には、表示画像を切り替えるときに、ユーザに視覚的に切り替え動作を認識させ、表示画像が切り替えられる前後の情報を把握させる表示制御装置が開示されている。この表示制御装置は、表示画面Ａから表示画面Ｂに表示画面を切り替える場合には、切り替えられる前の表示画像Ａが徐々に透明になって消失するように移動し（フェーズアウト）、切り替え対称の表示画面Ｂが徐々に現われるように移動する（フェードイン）ようなアニメーション表示を行う。
【０００４】
また、従来より、設定項目を変更するための操作画面を複数用意しておき、同じ設定項目が異なる表示形式で表示される技術が知られている。例えば、デジタルカメラでは、撮影シーンに応じて撮影設定項目の変更操作をやり易くする特徴をもった操作画面が複数用意されている。具体的には、設定項目の一覧表示を確認しじっくり設定して撮影したり、ライブビュー画像を確認しながら設定項目を設定して撮影したり、ユーザが直感的にわかるような言葉で表現されているガイド項目の一度の操作で複数の設定項目を設定して撮影する等である。またこのように複数の操作画面があることにより、ユーザの撮影レベルにあった操作画面を使うこともできる。このように、設定項目を変更するための操作画面を複数用意しておき、同じ設定項目が異なる表示形式で表示される技術はしばしば利用されている。
【先行技術文献】
【特許文献】
【０００５】
【特許文献１】特開２００５−１３５１０６号公報
【０００６】
【非特許文献１】スマートフォン用アプリ「ヤンデックス」の製品紹介、「サクサク＆超使える独自ウィジェット。初心者にもよりホームアプリ「ヤンデックス」はロシア製、［ｏｎｌｉｎｅ］、［平成２６年４月３０日検索］、インターネット（URL： http://news.livedoor.com/article/detail/8196527/）
【発明の概要】
【発明が解決しようとする課題】
【０００７】
前述のＰＣの操作画面では、表示形式の変更を行うことができるだけであり、操作画面の切り替え途中の画面遷移については何ら考慮されていない。また、非特許文献１に開示のスマートフォン用のアプリでは、多数の操作用のアイコンが一度に表示することができないために、画面を切り替えるようにしているだけであって、それぞれの操作画面で同じ設定項目を設定することはない。さらに、特許文献１に開示の表示制御装置における、表示画面Ａと表示画面Ｂは、設定項目の操作に特徴を持った操作画面ではない。ここで、特徴を持った画面とは、例えば、撮影シーンに応じて撮影設定項目の変更操作をやりやすくする画面である。
【０００８】
また、前述の設定項目を変更するための操作画面を複数用意しておき、同じ設定項目が異なる表示形式で表示される技術では、ユーザが同じ撮影設定項目を設定する時でも、このように異なる表示形式の操作画面が表示される場合があるため、ユーザがこれらの複数の操作画面を同じ体系の操作画面であると認識していなければ、操作画面が切り替わった際に、別の階層・別の操作画面に変わったかと勘違いするおそれがある。さらに、操作画面が切り替わった際に、切り替わり前後で同じ設定項目が表示されている位置が異なるため、切り替わり後に設定項目がどこに表示されているかが分かり難くなるおそれがある。
【０００９】
本発明は、このような事情を鑑みてなされたものであり、操作画面が切り替わった際に、切り替わり前後で同じ設定項目が表示されている位置が異なっていても、切り替わり後に設定項目がどこに表示されているかが容易に分かるようにした表示装置、表示方法、およびプログラムを提供することを目的とする。
【課題を解決するための手段】
【００１０】
上記目的を達成するため第１の発明に係る表示装置は、表示部を有する表示装置であって、複数用意された設定項目の中から使用する設定項目を選択するための操作画面を上記表示部に表示させ、上記操作画面から別の操作画面に切り替わりを表示させる表示制御部と、上記操作画面から別の操作画面に切り替えるために操作する操作部と、を具備し、上記表示制御部は、上記操作画面から別の操作画面に切り替わるときに、上記設定項目の表示態様の変化を表示させる。
【００１１】
第２の発明に係る表示装置は、上記第１の発明において、上記表示制御部は、上記操作画面が切り替わるときに、上記設定項目の表示位置の遷移状態を表示する。
【００１２】
第３の発明に係る表示装置は、上記第１の発明において、上記表示制御部は、上記操作画面が切り替わるときに、上記設定項目の表示位置が変化するものを他の設定項目とは異なる表示とする。
【００１３】
第４の発明に係る表示装置は、上記第１の発明において、上記表示制御部は、上記操作画面が切り替わるときに、上記設定項目の表示位置が変化すると共にその大きさも変化して表示する。
【００１４】
第５の発明に係る表示方法は、表示部を有する表示装置における表示方法であって、複数用意された設定項目の中から使用する設定項目を選択するための操作画面を上記表示部に表示させる表示ステップと、上記操作画面から別の操作画面に切り替えるために操作がなされたかを検出する操作検出ステップと、上記操作検出ステップにおいて、切り替えのための操作がなされたことを検出した場合に、上記操作画面から別の操作画面に切り替わりを表示させる表示切替ステップと、を具備し、上記表示切替ステップは、上記操作画面から別の操作画面に切り替わるときに、上記設定項目の表示態様の変化を表示させる。
【００１５】
第６の発明に係るプログラムは、表示部を有する表示装置におけるコンピュータを実行させるためのプログラムにおいて、複数用意された設定項目の中から使用する設定項目を選択するための操作画面を上記表示部に表示させる表示ステップと、上記操作画面から別の操作画面に切り替えるために操作がなされたかを検出する操作検出ステップと、上記操作検出ステップにおいて、切り替えのための操作がなされたことを検出した場合に、上記操作画面から別の操作画面に切り替わりを表示させる表示切替ステップと、を具備し、上記表示切替ステップは、上記操作画面から別の操作画面に切り替わるときに、上記設定項目の表示態様の変化を表示させる、ことを上記コンピュータに実行させる。
【発明の効果】
【００１６】
本発明によれば、操作画面が切り替わった際に、切り替わり前後で同じ設定項目が表示されている位置が異なっていても、切り替わり後に設定項目がどこに表示されているかが容易に分かるようにした表示装置、表示方法、およびプログラムを提供することができる。
【図面の簡単な説明】
【００１７】
【図１】本発明の一実施形態に係るカメラの主として電気構成を示すブロック図である。
【図２】本発明の一実施形態に係るカメラにおいて、撮影待機状態から３つの操作モード画面への切り替えを説明する図である。
【図３】本発明の一実施形態に係るカメラにおいて、スーパーコントロール画面からライブコントロール画面へ切り替わる表示形態を示す図である。
【図４】本発明の一実施形態に係るカメラにおいて、ライブコントロール画面からスーパーコントロール画面へ切り替わる表示形態を示す図である。
【図５】本発明の一実施形態に係るカメラにおいて、ライブコントロール画面からライブガイド画面へ切り替わる表示形態を示す図である。
【図６】本発明の一実施形態に係るカメラにおいて、ライブガイド画面からスーパーコントロール画面へ切り替わる第１の表示形態を示す図である。
【図７】本発明の一実施形態に係るカメラにおいて、ライブガイド画面からスーパーコントロール画面へ切り替わる第２の表示形態を示す図である。
【図８】本発明の一実施形態に係るカメラにおいて、スーパーコントロール画面から撮影待機画面へ切り替わる表示形態を示す図である。
【図９】本発明の一実施形態に係るカメラにおいて、スーパーコントロール画面からライブコントロール画面へ切り替わる表示形態の第１変形例（全表示）を示す図である。
【図１０】本発明の一実施形態に係るカメラにおいて、スーパーコントロール画面からライブコントロール画面へ切り替わる表示形態の第２変形例（スライド）を示す図である。
【図１１】本発明の一実施形態に係るカメラにおいて、スーパーコントロール画面からライブコントロール画面へ切り替わる表示形態の第３変形例（フェードイン／フェードアウト）を示す図である。
【図１２】本発明の一実施形態に係るカメラにおいて、スーパーコントロール画面からライブコントロール画面へ切り替わる表示形態の第４変形例（ズームイン）を示す図である。
【図１３】本発明の一実施形態に係るカメラにおいて、スーパーコントロール画面からライブコントロール画面へ切り替わる表示形態の第５変形例を示す図である。
【図１４Ａ】本発明の一実施形態に係るカメラにおいて、スーパーコントロール画面からライブコントロール画面へ切り替わる際の設定項目位置の変化を示す第１変形例の第１態様を示す図である。
【図１４Ｂ】本発明の一実施形態に係るカメラにおいて、スーパーコントロール画面からライブコントロール画面へ切り替わる際の設定項目位置の変化を示す第１変形例の第２態様を示す図である。
【図１４Ｃ】本発明の一実施形態に係るカメラにおいて、スーパーコントロール画面からライブコントロール画面へ切り替わる際の設定項目位置の変化を示す第１変形例の第２態様の別の例を示す図である。
【図１５】本発明の一実施形態に係るカメラにおいて、スーパーコントロール画面からライブコントロール画面へ切り替わる際の設定項目位置の変化を示す第２変形例を示す図である。
【図１６】本発明の一実施形態に係るカメラにおいて、撮影動作を示すフローチャートである。
【図１７】本発明の一実施形態に係るカメラにおいて、撮影動作を示すフローチャートである。
【図１８】本発明の一実施形態に係るカメラにおいて、操作画面切替処理の動作を示すフローチャートである。
【発明を実施するための形態】
【００１８】
以下、本発明の一実施形態としてデジタルカメラに適用した例について説明する。このカメラは、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。
【００１９】
また、このカメラの表示部には、操作画面として、スーパーコントロール画面（例えば、図２の２０参照）、ライブコントロール画面（例えば、図２の３０参照）、ライブガイド画面（例えば、図２の４０参照）の３つの操作画面が表示される。
【００２０】
この複数の操作画面により、例えば、設定項目の一覧表示を確認しじっくり設定して撮影したり、ライブビュー画像を確認しながら設定項目を設定して撮影したり、ユーザーが直感的にわかるような言葉で表現されているガイド項目の一度の操作で複数の設定項目を設定して撮影するなど、撮影シーンに応じた撮影設定項目の変更操作がやり易くする。またこのように複数あることにより、ユーザー撮影レベルにあった操作画面を使うこともできる。
【００２１】
それぞれの操作画面においては、露出補正、絞り値、シャッタ速度、彩度、コントラスト、ＷＢモード（ホワイトバランスモード）等の設定項目について設定を変更することができ、これらの操作画面は操作部材やタッチパネルのタッチ操作等により変更することができる。操作画面が別の操作画面に切り替わった際に、同じ階層・同じ操作画面に変わったことが容易に分かるように、複数の操作画面を同時に表示される。また操作画面が切り替わった際に、切り替わり前後で同じ設定項目が表示されている位置が異なっていても、切り替わり後に設定項目がどこに表示されているかが容易に分かるように、表示態様の変化が表示される。
【００２２】
以下、図面に従って本発明を適用したカメラを用いて好ましい実施形態について説明する。図１は、本実施形態に係るカメラ１００の概略構成を示すブロック図である。撮影レンズ１１１は、被写体の被写体像を形成するための光学レンズであり、レンズ制御部１２９によってフォーカスレンズやズームレンズが光軸方向に移動する。撮影レンズ１１１の光軸上には、絞り１１３、シャッタ１１５が配置され、また撮影レンズ１１１の光軸上であって、かつ光学像の結像位置付近には撮像素子１１９が配置されている。
【００２３】
絞り１１３は、絞り口径が可変であり、撮影光学系の光束を制御する。絞り制御部１２７は、絞り開口に相当する絞り値を制御する。絞り１１３は絞り制御部１２７からの制御信号に基づいて、撮影レンズ１１１を通過した被写体光束の光量を調節する。
【００２４】
シャッタ１１５は、撮影時には、シャッタ制御部１２５からの制御信号に基づいて、シャッタ秒時で決まる時間の間、被写体光束を通過させる。また、ライブビュー表示時には、開放状態となっている。
【００２５】
なお、本実施形態においては、絞り１１３、シャッタ１１５を撮影レンズ１１１の光軸上に配置し、露光制御を行うようにしているが、この内の一部の素子を省略して露光制御を行うようにしてもよい。また、シャッタ１１５の代わりに、撮像素子１１９内の電子シャッタによってシャッタ時間を制御するようにしてもよく、またＮＤフィルタを光軸上に出し入れするようにしてもよい。
【００２６】
撮像素子１１９は、撮影レンズ１１１によって形成された被写体像を光電変換し、画像データを画像処理部１２１に出力する。撮像制御部１２３は、制御部１５０からの制御信号に基づいて、撮像素子１１９の電荷蓄積や読み出し等の制御を行う。画像処理部１２１は、撮像素子１１９から画像データを入力し、増幅処理、ＡＤ変換処理、ＯＢ処理、ガンマ処理、ＷＢ処理等、種々の画像処理を行い、画像処理した画像データを制御部１５０に出力する。
【００２７】
制御部１５０には、前述の画像処理部１２１、撮像制御部１２３、シャッタ制御部１２５、絞り制御部１２７、レンズ制御部１２９の他に、記録部１３１、フラッシュメモリ１３３、表示制御部１３５、表示部１３７、および操作部１３９が接続されている。
【００２８】
記録部１３１は、記録メディアを有し、画像処理部１２１から出力される画像データを記録メディアに記録する。また、画像データの記録時に併せて音声処理部（不図示）から出力される音声データも記録メディアに記録可能である。フラッシュメモリ１３３は、電気的に書き換え可能な不揮発性メモリであり、カメラ１００の調整値や制御部１５０を実行させるためのプログラム等を記憶する。なお、フラッシュメモリ１３３に代えて、他の電気的に書き換え可能なメモリを用いてもよい。
【００２９】
表示制御部１３５は、制御部１５０から入力した画像データを表示部１３７に出力し、表示部１３７に表示させる。表示用のデータとしては、被写体確認のためのライブビュー表示用、記録部１３１に記録された画像の再生表示用、メニュー画面表示用があり、またスーパーコントロール画面、ライブコントロール画面、ライブガイド画面等の操作画面のデータがある。この操作画面が切り替えられる際には、図３ないし図１６を用いて説明するような切り替え時の表示画像を生成し、表示部１３７に出力する。なお、表示制御部１３５は、ハードウエアで構成してもよく、また制御部１５０によってソフトウエアによって実行されるようにしてもよい。
【００３０】
表示制御部１３５は、複数用意された設定項目の中から使用する設定項目を選択するための操作画面を表示部に表示させ、操作画面から別の操作画面に切り替わりを表示させる表示制御部としての機能を果たし、また操作画面から別の操作画面に切り替わるときに、設定項目の表示態様の変化を表示させる。また、表示制御部は、操作画面が切り替わるときに、設定項目の表示位置の遷移状態を表示する。
【００３１】
また、表示制御部は、操作画面が切り替わるときに、設定項目の表示位置が変化するものを他の設定項目とは異なる表示とする（図１８のＳ６７参照）。また、表示制御部は、操作画面が切り替わるときに、設定項目の表示位置が変化すると共にその大きさも変化して表示する（図３の２２ｃ参照）。
【００３２】
表示部１３７は、カメラ１００の背面に設けられた液晶パネル等の表示部材を有し、表示制御部１３５から入力したライブビュー表示、再生表示、メニュー画面、および操作画面を表示する。なお、表示部１３７としては、カメラの背面以外に設けてもよく、また電子ビューファインダ（ＥＶＦ）としてもよい。
【００３３】
操作部１３９は、操作部材１３９ａ〜１３９ｄ等を有し（図２参照）、またレリーズ釦、メニュー釦等の種々の操作部材を有する。また、表示部１３７の画面上のタッチ操作を検知するためのタッチパネルを有し、これらの操作部材の操作状態を検知して、制御部１５０に出力する。操作部１３９は、操作画面から別の操作画面に切り替えるために操作する操作部として機能する。
【００３４】
制御部１５０内には、図示しないＣＰＵ（Central Processing Unit）が設けられており、ＣＰＵはフラッシュメモリ１３３に記憶されたプログラムに従って、カメラ１００の全体制御を行う。また、制御部１５０内には、ＡＦ制御部１５５とＡＥ制御部１５７を有する。ＡＦ制御部１５５およびＡＥ制御部１５７は、全部または一部をハードウエアで構成してもよく、ソフトウエアで構成してもよい。
【００３５】
ＡＦ制御部１５５は、撮像素子１１９の出力に基づく画像データを用いて、コントラスト信号を抽出し、このコントラスト信号がピークとなるように、レンズ制御部１２９を介して、撮影レンズ１１１中のフォーカスレンズの位置を制御する。
【００３６】
ＡＥ制御部１５７は、撮像素子１１９の出力に基づく画像データを用いて、被写体輝度値を求め、この被写体輝度値に基づいて、適正露光となる絞り値、シャッタ速度、ＩＳＯ感度等を算出し、この算出結果に基づいて、シャッタ制御部１２５、絞り制御部１２７等を介して制御する。
【００３７】
次に、本実施形態に係るカメラにおける操作画面の切り替えについて説明する。図２は、本実施形態に係るカメラの背面図であり、撮影待機状態から３つの操作画面への切り替えを示す。図２の上段は、撮影待機状態を示し、下段は切り替え後の３つの操作画面を示す。
【００３８】
今、カメラ１００に撮影モードＡが設定され、撮影待機状態にあると、表示部１３７には図２の左上に示すように撮影待機画面１０ａが表示される。この撮影待機画面１０ａには、撮像素子１１９からの画像データに基づくライブビュー画像が表示されると共に、画面の右端側と左端側に現在の設定状態（例えば、フラッシュ設定、露出補正、測光モードＡＦモード、単写／連写等）が表示される。この状態では、現在の設定値が分かるだけで、各設定項目を変更することはできない。
【００３９】
撮影モードＡが設定され、撮影待機画面１０ａが表示されている状態で、操作部１３９の操作部材１３９ａが操作されると、スーパーコントロール画面２０に切り替わり、設定項目の変更が可能となる。このスーパーコントロール画面２０は、カメラ１００の各設定項目を表形式で表示し、ユーザは操作部材１３９ｂ（十字釦としての機能を有する）を操作することにより、変更したい項目を選択して変更することができる。図２に示すスーパーコントロールパネル画面２０では、画面のアスペクト比を変更する項目が選択されている（図では白抜き文字に変化している）。このスーパーコントロール画面２０では、多数の設定項目を表示し、設定変更を優先するために、表示部１３７の画面の殆どを使用し、このためライブビュー画像が隠れてしまう。
【００４０】
次に、カメラ１００に撮影モードＢが設定され、撮影待機状態にあると、表示部１３７には、図２の上段の真ん中に示すように、撮影待機画面１０ｂが表示される。この撮影待機画面１０ｂは、撮影待機画面１０ａと同様に、ライブビュー画像が表示されると共に、画面の両端側に、現在の設定状態が表示される。この状態では、前述したように、各設定項目を変更することはできない。
【００４１】
撮影モードＢが設定され、撮影待機画面１０ｂが表示されている状態で、操作部１３９の操作部材１３９ａが操作されると、ライブコントロール画面３０に切り替わり、設定項目の変更が可能となる。このライブコントロール画面３０は、画面の大部分にライブ画像が表示され、右側に設定項目が表示され、操作部材１３９ｂを操作することにより、上下方向で設定項目を選択することができる。設定項目のいずれかが選択されると、選択された設定項目の内容に応じた変更内容が画面の下段に表示され、ユーザは操作部材１３９ｂを操作し、左右方向に並んだ設定項目のいずれかを選択することができる。このライブコントロール画面３０で設定できる項目（機能）としては、例えば、ピクチャーモード（画像の仕上がりの設定）、手ブレ補正、ホワイトバランス、ドライブ／セルフタイマ、アスペクト比、画質モード、フラッシュモード、測光方式、ＡＦ方式、ＩＳＯ感度等がある。
【００４２】
図２に示すライブコントロール画面３０の例では、アスペクト比（右欄ではアスペクト比として「３：４」が現在設定中であることを示す）が選択され、下段に、３：４以外に、５：４、６：５、７：５、７：６のアスペクト比が表示されている。なお、ライブコントロール画面３０では、一度に全ての設定項目を画面の右欄に示せないことから、操作部材１３９ｂを操作により、スクロール表示によって順次表示するようにしている。同様に下段に全ての設定値を表示できない場合には、スクロール表示によって順次表示を行う。
【００４３】
次に、カメラ１００に撮影モードＣが設定され、撮影待機状態にあると、表示部１３７には、図２の右上段に示すように、撮影待機画面１０ｃが表示される。この撮影待機画面１０ｃは、撮影待機画面１０ａと同様に、ライブビュー画像が表示されると共に、画面の両端側に、現在の設定状態が表示される。この状態では、前述したように、各設定項目を変更することはできない。
【００４４】
撮影モードＣが設定され、撮影待機画面１０ｃが表示されている状態で、操作部１３９の操作部材１３９ａが操作されると、ライブガイド画面４０に切り替わり、ガイド項目の変更が可能となる。ガイド項目は、ユーザが撮影を直感的に行うための設定項目であり、例えば、色の鮮やかさを変える、明るさを変える、背景をぼかす、動きを表現する等の言葉で表現されている。撮影画像をどのように変更したいかに応じて、初心者であっても簡単に操作することができる。このように、ライブガイド画面４０は、ガイド項目は少ないが、ユーザが撮影に対する直感的操作を可能とする。ライブガイド画面４０では、画面の大部分にライブ画像が表示され、右側にガイド項目が表示され、操作部材１３９ｂ（十字釦の機能を有している）を操作することにより、上下方向でガイド項目を選択することができる。ガイド項目のいずれかが選択されると、選択されたガイド項目の内容に応じた変更内容が画面に表示され（不図示）、ユーザは操作部材１３９ｂを操作し、ガイド項目のいずれかを選択することができる。
【００４５】
ガイド項目として、「明るさ」が選択されると、カメラは明るさに関係する露出補正等の設定項目の設定変更を行う。また「背景ぼかし」が選択されると、背景のぼかしに関係する絞り値等の設定項目の設定変更を行う。また「動き」が選択されると、動きに関係するシャッタ速度等の撮影パラメータの設定変更を行う。また、「鮮やかさ」が選択されると、鮮やかさに関係するホワイトバランスと階調等の設定項目の設定変更を行う。また「色合い」が選択されると、色合いに関係する彩度等の設定項目の設定変更を行う。
【００４６】
操作画面（スーパーコントロール画面２０、ライブコントロール画面３０、ライブガイド画面４０）が表示されている場合、操作部材１３９ｃが操作されると、操作画面が順次変更される。すなわち、操作部材１３９ｃが操作される毎に、ライブガイド画面４０→ライブコントロール画面３０→スーパーコントロール画面２０→ライブガイド画面４０の順にサイクリックに操作画面が変更する。なお、後述するように、操作部材１３９ｄを操作することにより、逆方向に操作画面を変更することもできる（例えば、図４参照）。
【００４７】
このように、本実施形態においては、操作部材１３９ａが操作されると、それぞれ設定されている撮影モードに相応しい操作画面２０、３０、４０が表示され、設定項目を選択し、選択した設定項目について設定を変更することができる。また、表示されている操作画面２０、３０、４０において、操作部材１３９ｃが操作されると、サイクリックに操作画面２０、３０、４０の変更を行うことができる。
【００４８】
なお、本実施形態において、撮影モードに基づいて、最初に表示される操作画面が決められている。しかし、これに限らず、例えば、操作部材１３９の操作部材（例えば、１３９ａ，１３９ｃ，１３９ｄ）に対応した操作画面を予め決めておき、操作部材が操作されると撮影モードに係わらず、対応する操作画面が表示されるようにしてもよい。また、本実施形態において、設定項目の選択は、操作部材１３９ｂの操作によって行っていたが、これに限らず、例えば、ユーザが設定項目をタッチすると、これをタッチパネルによって検出し、選択するようにしてもよい。
【００４９】
次に、図３ないし図１５を用いて、本実施形態および変形例において、操作画面が表示された後に、操作部材１３９ｃ、１３９ｄを操作することによって、他の操作画面に切り替える際の表示形態について説明する。なお、操作画面の切り替わり時には、操作画面は半透過状態となって次第に消えていく場合であっても表示の、都合上、線画のままとしている。
【００５０】
図３は、スーパーコントロール画面２０からライブコントロール画面３０に切り替えるときの表示形態を示す。図３の左上に示すスーパーコントロール画面２０において操作部材１３９ｄを操作すると、図３の右下に示すライブコントロール画面３０に変更されるが、直ちにライブコントロール画面３０に変更されるのではなく、遷移画面２１ａ、２１ｂ、２１ｃを経た後、ライブコントロール画面３０に変更される。
【００５１】
画面の遷移にあたって、本実施形態においては、スーパーコントロール画面２０に表形式の画面の左辺とライブコントロール画面３０の左辺を軸中心として、画面があたかもページめくりをしているかのように変化し、すなわちスーパーコントロール画面２０のページが送られて見えなくなり、次のページにあるライブコントロール画面３０が見えているような表示を行う（遷移画面２１ａ、２１ｂ、２１ｃ参照）。
【００５２】
また、遷移にあたって、スーパーコントロール画面２０で選択されていた設定項目が、ライブコントロール画面３０においてどの位置に移動したかが分かるように、遷移画面２１ａ、２１ｂ、２１ｃにおいて設定項目の位置の変化が分かるように表示される。図３に示す例においては、スーパーコントロール画面２０においてアスペクト比２２ａが選択されている。この状態でユーザが操作部材１３９ｄを操作すると、アスペクト比２２ａは、遷移画面２１ａにおいては２２ｂの位置に、遷移画面２１ｂにおいては２２ｃの位置に、遷移画面２１ｃにおいては２２ｄの位置に移動していき、ライブコントロール画面３０において位置２２ｅに移動したことが分かる。また、移動途中で、アスペクト比２２ｃの大きさは、操作画面２０、３０におけるアスペクト比２２ａ、２２ｅよりも大きく表示することにより（後述する図４等でも同じ）、移動していることを強調することができる。
【００５３】
図４は、図３と逆に、ライブコントロール画面３０からスーパーコントロール画面２０に変化するときの表示形態を示す。図４の左上に示すライブコントロール画面３０において操作部材１３９ｃを操作すると、図４の右下に示すスーパーコントロール画面２０に変更されるが、直ちにスーパーコントロール画面２０に変更されるのではなく、遷移画面３１ａ、３１ｂ、３１ｃを経た後、スーパーコントロール画面２０に変更される。
【００５４】
画面の遷移にあたって、スーパーコントロール画面２０の表形式の画面の左辺とライブコントロール画面３０の左辺を軸中心として、画面があたかもページを戻しているかのように変化し、すなわちライブコントロール画面３０のページがまくられ、前のページにあるスーパーコントロール画面２０が見えてくるような表示を行う（遷移画面３１ａ、３１ｂ、３１ｃ参照）。
【００５５】
また、遷移にあたって、ライブコントロール画面３０で選択されていた設定項目が、スーパーコントロール画面２０においてどの位置に移動したかが分かるように、遷移画面３１ａ、３１ｂ、３１ｃにおいて設定項目の位置の変化が分かるように表示される。図４に示す例においても、ライブコントロール画面３０においてアスペクト比３２ａが選択されている。この状態でユーザが操作部材１３９ｃを操作すると、アスペクト比３２ａは、遷移画面３１ａにおいては３２ｂの位置に、遷移画面３１ｂにおいては３２ｃの位置に、遷移画面３１ｃにおいては３２ｄの位置に移動していき、スーパーコントロール画面２０において位置３２ｅに移動したことが分かる。
【００５６】
図５は、ライブコントロール画面３０からライブガイド画面４０に変化するときの表示形態を示す。図５の左上に示すライブコントロール画面３０において操作部材１３９ｄを操作すると、図５の右下に示すライブガイド画面４０に変更されるが、直ちにライブガイド画面４０に変更されるのではなく、遷移画面３３ａ、３３ｂ、３３ｃを経た後、ライブガイド画面４０に変更される。
【００５７】
画面の遷移にあたって、スーパーコントロール画面２０の表形式の画面の左辺とライブガイド画面４０の左辺を軸中心として、画面があたかもページを送っているかのように変化し、すなわちスーパーコントロール画面２０のページがまくられ、次のページにあるライブガイド画面４０が見えてくるような表示を行う（遷移画面３３ａ、３３ｂ、３３ｃ参照）。
【００５８】
また、遷移にあたって、ライブコントロール画面３０で選択されていた設定項目が、ライブガイド画面４０においてどの位置に移動したかが分かるように、遷移画面３３ａ、３３ｂ、３３ｃにおいて設定項目の位置の変化が分かるように表示される。図５に示す例において、ライブコントロール画面３０においてピクチャーモード３４ａが選択されている。この状態でユーザが操作部材１３９ｄを操作すると、ピクチャーモード３４ａは、遷移画面３３ａにおいては３４ｂの位置に、遷移画面３３ｂにおいては３４ｃの位置に、遷移画面３３ｃにおいては３４ｄの位置に移動していき、ライブガイド画面４０において位置３４ｅに移動したことが分かる。前述したように、ライブガイド画面４０では、ユーザが直感的に分かるガイド項目としていることから、ピクチャーモードに対応するのは、ライブガイド画面４０では「色合い」の項目となっている。
【００５９】
図６は、ライブガイド画面４０からスーパーコントロール画面２０に変化するときの表示形態を示す。図６の左上に示すライブコントロール画面３０において操作部材１３９ｄを操作すると、図６の右下に示すスーパーコントロール画面２０に変更されるが、直ちにスーパーコントロール画面２０に変更されるのではなく、遷移画面４１ａ、４１ｂ、４１ｃを経た後、スーパーコントロール画面２０に変更される。
【００６０】
また、遷移にあたって、ライブガイド画面４０で選択されていたガイド項目が、スーパーコントロール画面２０においてどの位置に移動したかが分かるように、遷移画面４１ａ、４１ｂ、４１ｃにおいて設定項目の位置の変化が分かるように表示される。図６に示す例において、ライブガイド画面４０において色合い４２ａが選択されている。この状態でユーザが操作部材１３９ｄを操作すると、操作画面の切り替え処理が始まり、色合い４２ａは、遷移画面４１ａにおいては４２ｂの位置に、遷移画面４１ｂにおいては４２ｃの位置に、遷移画面４１ｃにおいては４２ｄの位置に移動していき、スーパーコントロール画面２０において位置４２ｅに移動したことが分かる。ライブガイド画面４０では、ユーザが直感的に分かるガイド項目としていることから、色合いに対応するのは、スーパーコントロール画面２０では「ピクチャーモード」の項目となっている。
【００６１】
ライブガイド画面４０では、前述したように、ユーザが直感的に分かりやすい表示を行っていることから、他の操作画面に変更した際に、ガイド項目に対応する設定項目が複数、存在する場合がある。複数存在する場合について、図７を用いて説明する。
【００６２】
図７は、ライブガイド画面４０からスーパーコントロール画面２０に変化するときの第２の表示形態を示す。図７の左上に示すライブコントロール画面３０において操作部材１３９ｄを操作すると、図６の右下に示すスーパーコントロール画面２０に変更されるが、直ちにスーパーコントロールド画面２０に変更されるのではなく、遷移画面４３ａ、４３ｂ、４３ｃを経た後、スーパーコントロール画面２０に変更される。
【００６３】
画面の遷移にあたって、図６に示した例と同様に、スーパーコントロール画面２０の左辺とライブガイド画面４０の左辺を軸中心として、画面があたかもページを送っているかのように変化する（遷移画面４３ａ、４３ｂ、４３ｃ参照）。また、遷移にあたって、ライブガイド画面４０で選択されていたガイド項目が、スーパーコントロール画面２０においてどの位置に移動したかが分かるように、遷移画面４３ａ、４３ｂ、４３ｃにおいて設定項目の位置の変化が分かるように表示される。
【００６４】
図７に示す例において、ライブガイド画面４０においてガイド項目として鮮やかさ４４ａが選択されている。この状態でユーザが操作部材１３９ｄを操作すると、鮮やかさ４４ａは、遷移画面４３ａにおいては４４ｂの位置に、遷移画面４３ｂにおいては４４ｃの位置に、遷移画面４３ｃにおいては４４ｄの位置に移動していき、スーパーコントロール画面２０において位置４４ｅ１のホワイトバランスと、位置４４ｅ２の彩度に移動したことが分かる。前述したように、ライブガイド画面４０では、ユーザが直感的に分かるガイド項目としていることから、ライブガイド項目としての「鮮やかさ」に対応するのは、スーパーコントロール画面２０では「ホワイトバランス」と「階調」の２つの設定項目である。
【００６５】
このように、本実施形態においては、図３ないし図７を用いて説明したように、操作画面がスーパーコントロール画面２０、ライブコントロール画面３０、およびライブガイド画面４０の間で切り替わっていく様子が分かると共に、切り替え前の操作画面において選択されていた設定項目が、切り替え後の操作画面において、どの位置に移動したかが一目で分かる。このため、ユーザは設定作業を直ちに続けることができる。
【００６６】
次に、図８を用いて、操作画面が表示されている状態から撮影待機画面への変更について説明する。図８に示す例では、操作画面としてスーパーコントロール画面２０が表示されている。この状態で、前回操作した操作部材１３９ｃまたは１３９ｄが操作されると（これに限らず、他の操作部材、例えば操作部材１３９ａでもよい）、図８の右下に示す撮影待機画面１０ｄに戻る。この場合にも直ちに撮影待機画面１０ｄに戻るのではなく、遷移画面２３ａ、２３ｂ、２３ｃを経た後、スーパーコントロール画面２０に変更される。
【００６７】
画面の遷移にあたって、スーパーコントロール画面２０の表形式の枠線が次第にフェードアウトするが、各設定項目は、現在の設定値の全てが撮影待機画面１０ｄの対応する位置に次第に移動していく。図８の例では、ＡＦ方式（シングルＡＦを示すＳ−ＡＦ）や設定ＩＳＯ感度は、画面の左側に移動し、またフラッシュ方式、露出補正、測光方式、アスペクト比、画素数等は画面の右側に移動する（遷移画面２１ａ、２１ｂ、２１ｃ参照）。このため、ユーザは、この遷移画面によって操作画面で設定された設定値が容易に分かる。
【００６８】
本発明の一実施形態においては、操作画面が変更される際の遷移画面として、操作画面の一辺をそれぞれ回転軸として回転させ、このときの一部の画面を抜き出すように操作画面の変化を表現していた。しかし、これに限らず、例えば、全操作画面を一軸で結合し、この全操作画面の全体を表示しながら、操作画面の切り替えを行うようにしてもよい。図９を用いて、この第１変形例を説明する。
【００６９】
図９に示す例において、表示部１３７にスーパーコントロール画面２０が表示されており、ユーザによってアスペクト比２６ａが選択されている。この状態で操作部材１３９ｄが操作されると、図９の右下に示すライブコントロール画面３０に変更されるが、直ちにライブコントロール画面３０に変更されるのではなく、遷移画面２５ａ、２５ｂ、２５ｃを経た後、ライブコントロール画面３０に変更される。
【００７０】
画面の遷移にあたって、本変形例においては、スーパーコントロール画面２０、ライブコントロール画面３０、およびライブガイド画面４０の短辺を一辺に結合し、この短辺を回転軸として回転する複合操作画面が表示され、遷移画面２５ａ〜２５ｃと変化するにつれ、複合操作画面も回転表示される（遷移画面２５ａ、２５ｂ、２５ｃ参照）。そして、変更先のライブコントロール画面３０が正面位置に近づくと、大きくなり、図９の右下に示すライブコントロール画面３０となる。
【００７１】
また、遷移にあたって、スーパーコントロール画面２０で選択されていた設定項目が、ライブコントロール画面３０においてどの位置に移動したかが分かるように、遷移画面２５ａ、２５ｂ、２５ｃにおいて設定項目の位置の変化が分かるように表示される。図９に示す例においては、スーパーコントロール画面２０においてアスペクト比２６ａが選択されている。この状態でユーザが操作部材１３９ｄを操作すると、アスペクト比２２ａは、遷移画面２５ａにおいては２６ｂの位置に、遷移画面２５ｂにおいては２６ｃの位置に、遷移画面２５ｃにおいては２６ｄの位置に移動していき、ライブコントロール画面３０において位置２６ｅに移動したことが分かる。
【００７２】
このように、図９に示す遷移画面の第１変形例においても、操作画面がスーパーコントロール画面２０、ライブコントロール画面３０、およびライブガイド画面４０の間で切り替わっていく様子が分かると共に、変更前の操作画面において選択されていた設定項目が、変更後の操作画面において、どの位置に移動したかが一目で分かる。このため、ユーザは設定作業を直ちに続けることができる。また、本変形例においては、複数の操作画面の切り替え時に、全ての操作画面を表示しているので、切り替え可能な操作画面が容易に分かり、操作しやすくなる。
【００７３】
次に、図１０を用いて、遷移画像の第２変形例について説明する。前述の第１変形例においては、遷移時に全操作画面を結合した複合操作画面の全体を表示したが、第２変形例においては、遷移時に操作画面をあたかもスライドしているように表示する。
【００７４】
図１０に示す例において、表示部１３７にスーパーコントロール画面２０が表示されており、この状態で操作部材１３９ｄが操作されると、図１０の右下に示すライブコントロール画面３０に変更されるが、直ちにライブコントロール画面３０に変更されるのではなく、遷移画面２７ａ、２７ｂ、２７ｃを経た後、ライブコントロール画面３０に変更される。
【００７５】
画面の遷移にあたって、本変形例においては、スーパーコントロール画面２０は画面の左側にスライドしていくように表示し、また画面の右側からライブコントロール画面３０の設定項目の表示部分がスライドして来るように表示する（遷移画面２７ａ、２７ｂ、２７ｃ参照）。
【００７６】
なお、遷移にあたって、前述したように、スーパーコントロール画面２０で選択されていた設定項目が、ライブコントロール画面３０においてどの位置に移動したかが分かるように、遷移画面２７ａ、２７ｂ、２７ｃにおいて設定項目の位置の変化が分かるように表示するようにしてもよい。
【００７７】
このように、図１０に示す遷移画面の第２変形例においても、操作画面がスーパーコントロール画面２０、ライブコントロール画面３０、およびライブガイド画面４０の間で切り替わっていく様子が分かる。
【００７８】
次に、図１１を用いて、遷移画像の第３変形例について説明する。前述の第２変形例においては、遷移時に操作画面をあたかもスライドしているように表示していたが、この第３変形例においては、遷移時に操作画面をフェードイン／フェードアウト表示する。
【００７９】
図１１に示す例において、表示部１３７にスーパーコントロール画面２０が表示されており、この状態で操作部材１３９ｄが操作されると、図１１の右下に示すライブコントロール画面３０に変更されるが、直ちにライブコントロール画面３０に変更されるのではなく、遷移画面２８ａ、２８ｂ、２８ｃを経た後、ライブコントロール画面３０に変更される。
【００８０】
画面の遷移にあたって、本変形例においては、スーパーコントロール画面２０は次第に薄くなっていくように（フェードアウト）表示し、またライブコントロール画面３０は次第に濃くなっていくように（フェードイン）表示し、最後に、スーパーコントロール画面２０は消えてなくなり、ライブコントロール画面３０のみが表示される（遷移画面２８ａ、２８ｂ、２８ｃ参照）。
【００８１】
なお、遷移にあたって、前述したように、スーパーコントロール画面２０で選択されていた設定項目が、ライブコントロール画面３０においてどの位置に移動したかが分かるように、遷移画面２８ａ、２８ｂ、２８ｃにおいて設定項目の位置の変化が分かるように表示するようにしてもよい。
【００８２】
このように、図１１に示す遷移画面の第３変形例においても、操作画面がスーパーコントロール画面２０、ライブコントロール画面３０、およびライブガイド画面４０の間で切り替わっていく様子が分かる。
【００８３】
次に、図１２を用いて、遷移画像の第４変形例について説明する。前述の第３変形例においては、遷移時に操作画面をフェードイン／フェードアウト表示していたが、この第４変形例においては、遷移時に操作画面をズームイン表示する。
【００８４】
図１２に示す例において、表示部１３７にスーパーコントロール画面２０が表示されており、この状態で操作部材１３９ｄが操作されると、図１２の右下に示すライブコントロール画面３０に変更されるが、直ちにライブコントロール画面３０に変更されるのではなく、遷移画面２９ａ、２９ｂ、２９ｃを経た後、ライブコントロール画面３０に変更される。
【００８５】
画面の遷移にあたって、本変形例においては、スーパーコントロール画面２０は次第に拡大していくように（ズームイン）表示しながら次第に画像を薄くしながら表示し、またライブコントロール画面３０も点から次第に拡大していく（ズームイン）表示し、最後に、スーパーコントロール画面２０は消えてなくなり、ライブコントロール画面３０が表示部１３７の大きさで表示される（遷移画面２９ａ、２９ｂ、２９ｃ参照）。
【００８６】
なお、遷移にあたって、前述したように、スーパーコントロール画面２０で選択されていた設定項目が、ライブコントロール画面３０においてどの位置に移動したかが分かるように、遷移画面２９ａ、２９ｂ、２９ｃにおいて設定項目の位置の変化が分かるように表示するようにしてもよい。
【００８７】
このように、図１２に示す遷移画面の第４変形例においても、操作画面がスーパーコントロール画面２０、ライブコントロール画面３０、およびライブガイド画面４０の間で切り替わっていく様子が分かる。
【００８８】
次に、図１３を用いて、遷移画面の第５変形例について説明する。本発明の一実施形態においては、ユーザによって選択された設定項目が遷移画面中で移動し、次の操作画面の対応する位置が分かるようにしていた。この第５変形例においては、ユーザによって選択された設定項目に限らず、全設定項目の設定値が遷移画面中で移動し、次の操作画面の対応する位置が分かるようにしている。
【００８９】
図１３に示す例において、表示部１３７にスーパーコントロール画面２０が表示されており、この状態で操作部材１３９ｄが操作されると、図１３の右下に示すライブコントロール画面３０に変更されるが、直ちにライブコントロール画面３０に変更されるのではなく、遷移画面５１ａ、５１ｂ、５１ｃを経た後、ライブコントロール画面３０に変更される。
【００９０】
画面の遷移にあたって、本変形例においては、図３を用いて説明した説明した操作画面の遷移と同様に、スーパーコントロール画面２０に表形式の画面の左辺とライブコントロール画面３０の左辺を軸中心として、画面があたかもページめくりをしているかのように変化し、すなわちスーパーコントロール画面２０のページが送られて見えなくなり、次のページにあるライブコントロール画面３０が見えているような表示を行う（遷移画面５１ａ、５１ｂ、５１ｃ参照）。
【００９１】
また、遷移にあたって、スーパーコントロール画面２０で選択されていた設定項目に限らず全設定項目の設定値が、ライブコントロール画面３０においてどの位置に移動したかが分かるように、遷移画面５１ａ、５１ｂ、５１ｃにおいて設定項目の位置の変化が分かるように表示される。
【００９２】
このように、第５変形例においては、全設定項目について、操作画面が変更する際に、その設定項目位置の変化を表示しているので、操作画面の切り替わり前後での対応関係が分かりやすい。なお、図１３においては、操作画面の変更を回転軸周りの回転によって変更していたが、これに限らず、図１０に示したようなスライド方式、図１１に示したようなフェードイン方式、図１２に示したようなズームイン方式等、他の方式によって変更を表示する場合でも、本変形例を適用してもよい。また、図７に示したような全ての操作画面を遷移画面として表示する場合にも、本変形例を適用してもよい。
【００９３】
次に、図１４Ａを用いて、設定項目の移動表示に関する第１変形例の第１態様について説明する。上述の本発明の一実施形態や変形例においては、操作画面の切り替わり前後で操作画面が移動する遷移画面を表示していた（図３〜図１３参照）。この変形例の第１態様では、操作画面が移動する遷移画面を省略し、設定項目の設定値のみの移動が分かるように表示している。
【００９４】
図１４Ａに示す例において、表示部１３７にスーパーコントロール画面２０が表示されており、この状態で操作部材１３９ｄが操作されると、図１４Ａの右下に示すライブコントロール画面３０に変更される。但し、瞬時にライブコントロール画面３０に変更されるのではなく、まず、枠線および設定項目が薄くなったスーパーコントロール画面２０Ａを表示し、このとき、ユーザによって選択された設定項目のみを次の操作画面であるライブコントロール画面３０の対応する位置に向けて移動を開始させる。
【００９５】
スーパーコントロール画面２０Ａからユーザによって選択された設定項目が移動を開始すると、ライブコントロール画面３０Ａを表示し、選択された設定項目がライブコントロール画面３０の対応するアイコンの位置に到達する。図１４Ａに示す例においては、スーパーコントロール画面２０においてアスペクト比２１Ａが選択されている。この状態でユーザが操作部材１３９ｄを操作すると、アスペクト比２１Ａは、位置２１Ｂ→位置２１Ｃと移動し、ライブコントロール画面３０のアスペクト比２１Ｄの位置で停止する。
【００９６】
このように、設定項目の移動表示に関する第１変形例の第１態様においては、操作画面の切り替わり前後で操作画面が移動する遷移画面を表示していないが、ユーザが選択した設定項目の設定値が、切り替わり後の操作画面の対応する設定項目の位置に向けて移動していくことから、切り替わり後の操作画面において対応する設定項目を容易に確認することができ、便利である。
【００９７】
なお、本変形例においては、ユーザが選択した項目のみを移動させ、操作画面の切り替わり前後で対応する設定項目の位置が分かるようにしたが、これに限らず、全設定項目、または複数の設定項目が移動するようにしても勿論かまわない。
【００９８】
次に、図１４Ｂを用いて、設定項目の移動表示に関する第１変形例の第２態様について説明する。第２態様においても、操作画面の切り替わり前後で、設定項目のアスペクト２１Ａの位置が移動していく点では第１実施形態と同様である（位置２１Ａ→位置２１Ｂ→位置２１Ｃ→位置２１Ｄ）。しかし、第２態様においては、位置２１Ｂ、２１Ｃにおいて、表示の大きさが大きくなる点で第１態様と異なる。
【００９９】
なお、本態様においては、ユーザが選択した項目の大きさを変えて、操作画面の切り替わり前後対応する設定項目の表示位置が分かるようにしたが、これに限らず、例えば、図１４Ｃ（ｂ）に示すようにハイライト表示してもよく、色を変化させてもよく、また図１４Ｃ（ｃ）に示すように字体を斜字体に変化させて表示位置が分かるようにしても勿論かまわない。なお、図１４Ｃにおいては、遷移前の設定項目を示しており、遷移中は図１４Ｂのように変化する。また図１４Ｃ（ａ）は、図１４Ｂにおける設定項目と同じである。
【０１００】
次に、図１５を用いて、設定項目の移動表示に関する第２変形例について説明する。上述の本発明の一実施形態や変形例においては、ユーザが選択した設定項目に対応する設定項目が切り替え後の操作画面にも存在していた。しかし、ライブコントロール画面３０は表示されるガイド項目が少ないことから、切り替え後の操作画面には隠れていて表示されていない場合がある。本変形例においては、ライブコントロール画面３０の設定項目表示部をスクロールさせ、対応する設定項目を表示させるようにしている。
【０１０１】
図１５は、スーパーコントロール画面２０からライブコントロール画面３０に変化するときの表示形態を示す。図１５の左上に示すスーパーコントロール画面２０において操作部材１３９ｄを操作すると、図１５の右下に示すライブコントロール画面３０に変更されるが、直ちにライブコントロール画面３０に変更されるのではなく、遷移画面５２ａ、５２ｂ、５２ｃを経た後、ライブコントロール画面３０に変更される。
【０１０２】
画面の遷移にあたって、図３の場合と同様に、スーパーコントロール画面２０に表形式の画面の左辺とライブコントロール画面３０の左辺を軸中心として、画面があたかもページめくりをしているかのように変化し、すなわちスーパーコントロール画面２０のページが送られて見えなくなり、次のページにあるライブコントロール画面３０が見えているような表示を行う（遷移画面５２ａ、５２ｂ、５２ｃ参照）。
【０１０３】
また、遷移にあたって、スーパーコントロール画面２０で選択されていた設定項目が、ライブコントロール画面３０においてどの位置に移動したかが分かるように、遷移画面５１ａ、５１ｂ、５１ｃにおいて設定項目の位置の変化が分かるように表示される。そして、表示部１３７の画面にライブコントロール画面３０が表示されると、この画面の対応する設定項目の位置で停止する。但し、対応する設定項目が隠れていて表示されていない場合には、設定項目をスクロールし、対応する設定項目が現われてから、この位置で移動してきた設定項目が停止する。
【０１０４】
図１５に示す例においては、スーパーコントロール画面２０においてピクチャーモード５３ａが選択されている。この状態でユーザが操作部材１３９ｄを操作すると、ピクチャーモード５３ａは、遷移画面５２ａ〜５２ｃにおいて、位置５３ｂ、５３ｃ、５３ｄと移動する。ライブコントロール画面３０には、遷移画面５２ｃに示すように、ピクチャーモードが表示されていないことから、ライブコントロール画面の設定項目をスクロールし、ピクチャーモードを表示させ、位置５３ｅにおいて停止する。
【０１０５】
このように、設定項目の移動表示に関する第２変形例においては、操作画面の切り替わり後の操作画面に対応する設定項目が隠れて表示されていない場合には、対応する設定項目を表示させ、ユーザが選択した設定項目の設定値が、切り替わり後の操作画面でも表示するようにしている。このため、切り替わり後の操作画面においても対応する設定項目を容易に確認することができ、便利である。
【０１０６】
なお、本変形例においては、操作画面の変更を回転軸周りの回転によって変更していたが、これに限らず、図１０に示したようなスライド方式、図１１に示したようなフェードイン方式、図１２に示したようなズームイン方式等、他の方式によって変更を表示する場合でも、本変形例を適用してもよい。また、本変形例においては、ユーザが選択した項目のみを移動させ、操作画面の切り替わり前後で対応する設定項目の位置が分かるようにしたが、これに限らず、複数の設定項目が移動するようにしても勿論かまわない。
【０１０７】
次に、図１６ないし図１８に示すフローチャートを用いて、本発明の一実施形態や変形例の動作について説明する。このフローチャートは、フラッシュメモリ１３３に記憶されているプログラムに基づいて制御部１５０内のＣＰＵが実行する。なお、このフローはカメラの撮影動作の内、操作画面の表示に関係する処理を中心に記載してある。
【０１０８】
まず、図１６に示す撮影モード動作に入ると、ライブビュー表示を行う（Ｓ１）。ここでは、撮像素子１１９からの画像データをライブビュー表示用に画像処理し、制御部１５０と表示制御部１３５を介して、表示部１３７にライブビュー画像を表示する。ユーザはライブビュー表示を観察することにより、構図を確認し、シャッタレリーズのタイミングを決める。また、レリーズ釦の半押し操作に応じて、ＡＦ制御部１５５は撮影レンズ１１１の自動焦点調節を行い、またＡＥ制御部１５７は適正露光となるシャッタ１１３のシャッタ速度や絞り１１５の絞り値等の制御値を算出する。
【０１０９】
ライブビュー表示を行うと、次に操作画面表示を行うか否かの判定を行う（Ｓ３）。図２を用いて説明したように、操作部１３９内の操作部材１３９ａが操作されると、設定されている撮影モードに応じて操作画面が表示される。そこで、このステップでは、操作部材１３９ａが操作されたか否かに基づいて判定する。この判定の結果、操作画面表示でない場合には、後述するステップＳ３３に進み、撮影のための動作を行う。
【０１１０】
ステップＳ３における判定の結果、操作画面表示の場合には、操作画面表示の指示がスーパーコントロール画面（図面中では、「スーパーコンパネ」と略記）表示か否かを判定する（Ｓ５）。前述したように撮影モードＡが設定されている場合に、操作部材１３９ａが操作されると、スーパーコントロール画面に切り替わるので、このステップでは、撮影モードに基づいて判定する。
【０１１１】
ステップＳ５における判定の結果、スーパーコントロール画面表示の場合には、スーパーコントロール画面を表示する（Ｓ７）。ここでは、図２に示したスーパーコントロール画面２０を表示部１３７に表示する。スーパーコントロール画面の表示を行うと、ユーザは各設定項目の中から選択し、設定内容を変更することができる。
【０１１２】
ステップＳ５における判定の結果、スーパーコントロール画面の表示でなかった場合には、ライブガイド画面表示か否かを判定する（Ｓ９）。前述したように撮影モードＢが設定されている場合に、操作部材１３９ａが操作されると、ライブコントロール画面に切り替わるので、このステップでは、撮影モードに基づいて判定する。
【０１１３】
ステップＳ９における判定の結果、ライブガイド画面表示の場合には、ライブガイド画面を表示する（Ｓ１１）。ここでは、図２に示したライブガイド画面４０を表示部１３７に表示する。ライブガイド画面の表示を行うと、ユーザは各設定項目の中から選択し、設定内容を変更することができる。
【０１１４】
ステップＳ９における判定の結果、ライブガイド画面の表示でなかった場合には、ライブコントロール画面を表示する（Ｓ１５）。ここでは、図２に示したライブコントロール画面３０を表示部１３７に表示する。ライブコントロール画面の表示を行うと、ユーザは各設定項目の中から選択し、設定内容を変更することができる。
【０１１５】
ステップＳ７、またはＳ１１、またはＳ１５において、操作画面の表示を行うと、次に、操作画面切替か否かを判定する（Ｓ１７）。操作部材１３９ｃまたは１３９ｄが操作されると、サイクリックに操作画面の切り替えが行われる。そこで、このステップでは、操作部材１３９，１３９ｄが操作されてか否かに基づいて判定する。この判定の結果、操作画面に切り替えられていない場合には、ステップＳ１に戻る。
【０１１６】
一方、ステップＳ１７における判定の結果、操作画面に切り替えられた場合には、操作画面切替処理を行う（Ｓ１９）。ここでは、操作画面の切り替え処理がなされるが、図３〜図１５を用いて説明したように、種々の表示形態で遷移画面等が表示される。この操作画面切替処理の詳しい動作については、図１８を用いて後述する。
【０１１７】
操作画面処理を行うと、次に、スーパーコントロール画面表示か否かの判定を行う（Ｓ２１）。前述したように、一旦、操作画面が表示されると、操作部材１３９ｃ、１３９ｄの操作に応じて、切り替え後の操作画面がスーパーコントロール画面であるか否かを判定する。
【０１１８】
ステップＳ２１における判定の結果、スーパーコントロール画面表示であった場合には、スーパーコントロール画面表示を行う（Ｓ２３）。ここでは、図４等に示したように、操作画面としてスーパーコントロール画面の表示を行う。スーパーコントロール画面の表示を行うと、ユーザは各設定項目の中から選択し、設定内容を変更することができる。
【０１１９】
ステップＳ２１における判定の結果、スーパーコントロール画面表示でない場合には、次に、ライブコントロール画面表示か否かを判定する（Ｓ２７）。このステップでは、操作部材１３９ｃ、１３９ｄの操作に応じて、切り替え後の操作画面がスーパーコントロール画面であるか否かを判定する。
【０１２０】
ステップＳ２５における判定の結果、ライブコントロール画面表示であった場合には、ライブコントロール画面表示を行う（Ｓ２７）。ここでは、図３等に示したように、操作画面としてスーパーコントロール画面の表示を行う。ライブコントロール画面の表示を行うと、ユーザは各設定項目の中から選択し、設定内容を変更することができる。
【０１２１】
ステップＳ２５における判定の結果、ライブコントロール画面表示でない場合には、次に、ライブガイド画面表示か否かを判定する（Ｓ２９）。このステップでは、操作部材１３９ｃ、１３９ｄの操作に応じて、切り替え後の操作画面がライブコントロール画面であるか否かを判定する。この判定の結果が、ライブガイド画面表示でない場合には、ステップＳ２１に戻る。
【０１２２】
ステップＳ２９における判定の結果、ライブガイド画面表示であった場合には、ライブガイド画面表示を行う（Ｓ３１）。ここでは、図５等に示したように、操作画面としてライブガイド画面の表示を行う。ライブガイド画面の表示を行うと、ユーザは各設定項目の中から選択し、設定内容を変更することができる。
【０１２３】
ステップＳ２３、Ｓ２７、またはＳ３１において、操作画面の表示を行うと、次に、レリーズ釦が操作されたか否かを判定する（Ｓ３３）。操作部材１３９の内のレリーズ釦が全押しされると、カメラは撮影動作に入るので、このステップではレリーズ釦の操作状態に基づいて判定する。この判定の結果、レリーズ釦の全押し操作がなされていない場合には、ステップＳ１に戻る。
【０１２４】
ステップＳ３３における判定の結果、レリーズ釦の全押し操作がなされた場合には、撮影を行う（Ｓ３５）。ここでは、シャッタ１１３等の制御を行い、撮像素子１１９が被写体像の撮像を行う。撮影を行うと、記録する（Ｓ３７）。ここでは、撮像素子１１９から画像データを読み出し、画像処理部１２１が記録用に画像処理を行い、記録部１３１に記録する。
【０１２５】
記録を行うと、次に電源オフか否かの判定を行う（Ｓ３９）。操作部１３９の内のパワースイッチがパワーオフにされたか否かを判定する。この判定の結果、電源オフでない場合には、ステップＳ１に戻る。一方、判定の結果、電源オフの場合には、電源オフ処理を行い、このフローを終了する。
【０１２６】
このように、撮影動作のフローにおいては、ステップＳ１９において、図３〜図１５において説明した遷移画面等の切り替え表示を行う。この切り替え表示によって、ユーザは、切り替え前の設定項目と切り替え後の設定項目の関係を理解することが容易となる。
【０１２７】
次に、図１８に示すフローチャートを用いて、ステップ１９の操作画面切替処理の詳しい動作について説明する。このフローは、操作画面の切り替え時における遷移画面等の表示を行うためのフローである。
【０１２８】
操作画面切替処理のフローに入ると、まず、全ての操作画面の内、複数の操作画面を同時に表示するか否かを判定する（Ｓ５１）。例えば、図９に示したように、複数の操作画面の全てを遷移画面として表示するか否かを判定する。本実施形態においては、設定されている撮影モードに基づいて判定を行う。すなわち、撮影モード毎に最適な表示形態が予めフラッシュメモリ１３３に記憶されているので、これに従って判定し、ステップＳ５３、Ｓ５５、Ｓ５７における判定においても同様である。
【０１２９】
ステップＳ５１における判定の結果、Ｙｅｓであれば、全ての操作画面のうち、複数の操作画面を同時表示する（Ｓ６１）。このステップで設定することにより、例えば、図９に示したような複数の操作画面を遷移画面として同時に表示する。なお、図９に示した例では、全ての操作画面を同時表示していたが、３以上の操作画面であればよい。
【０１３０】
ステップＳ５１における判定の結果、Ｎｏであれば、操作画面の切り替え途中の画面を表示するか否かの判定を行う（Ｓ５３）。例えば、図３−７、９−１３、１５等に示すように、遷移画面中に２以下の操作画面を同時に表示するか否かを判定する。本実施形態においては、設定されている撮影モードに基づいて判定を行う。
【０１３１】
ステップＳ５３における判定の結果、操作画面切替途中画面表示がある場合には、途中画面表示を行う（Ｓ６３）。ここでは、図３−７、９−１３、１５等に示すように、遷移画面中に２以下の操作画面を同時に表示しながら、切り替え画面を表示する。
【０１３２】
ステップＳ６１またはＳ６３において画面表示を行うと、またはステップＳ５３における判定の結果がＮｏの場合には、次に、設定項目表示位置の変化を表示するか否かを判定する（Ｓ５５）。例えば、図３において、アペックス比２２ａ〜２２ｅが、遷移画面中において移動して、設定項目の表示位置の変化を視覚的に分かりやすくしたような表示を行うか否かの判定を行う。本実施形態においては、設定されている撮影モードに基づいて判定を行う。
【０１３３】
ステップＳ５５における判定の結果、Ｙｅｓであれば、設定項目表示位置の変化を表示する（Ｓ６５）。ここでは、切り替え前の操作画面から遷移画面等の画面を経て切り替え後の操作画面に切り替わる際に、設定項目の表示位置の変化が分かるような表示を行う。この表示形態としては、実施形態に示すように、ユーザに選択された設定項目、または全部の設定項目、もしくは複数の設定項目を、独立させて移動させるようにしてもよく、また、移動軌跡が所定時間の間、表示させる等、種々の表情形態の中から採用してもよい。
【０１３４】
ステップＳ６５において設定項目の表示位置の変化を表示すると、またはステップＳ５５における判定の結果がＮｏであった場合には、設定項目を他の設定項目と異なる表示を行うか否かを判定する（Ｓ５７）。ここでは、操作画面の切り替え前後で選択されている設定項目に対応する切り替え後の設定項目を、他と異なる表示を行うか否かを判定する。本実施形態においては、設定されている撮影モードに基づいて判定を行う。
【０１３５】
ステップＳ５７における判定の結果、Ｙｅｓであった場合には、設定項目を他の設定項目と異なる表示を行う（Ｓ６７）。切り替え前にユーザによって選択されていた設定項目の表示を、他の項目とは異なる表示を行う。他の項目と異なる表示としては、例えば、その設定項目をハイライト表示し、拡大縮小表示し、色を変更し、字体を変更する等の処理を行う。これによって、選択されていた設定項目が切り替え後に、どの位置にあるかを容易に分かる。
【０１３６】
ステップＳ６７において設定項目を他の設定項目と異なる表示を行うと、またはステップＳ５７における判定の結果がＮｏの場合には、操作画面切替処理のフローを終了し、元のフローに戻る。
【０１３７】
このように、本実施形態における操作画面の切り替え処理では、操作画面の切り替え前後における遷移画像等の表示を行う。この切り替え前後の遷移画像では、全ての操作画面、またはその一部（複数）の操作画像を表示し、設定項目の変化が分かるようにしている（Ｓ６１、Ｓ６３参照）。特に設定項目の位置の変化を表示することにより（Ｓ６５参照）、操作画面の切り替え前後での設定項目の対応関係を分かり易くすることができる。
【０１３８】
なお、本実施形態においては、ステップＳ５１、Ｓ５３、Ｓ５５、Ｓ５７における判定においては、設定されている撮影モードに応じて最適の表示を行うように判定するようにしていた。しかし、これに限らずの他の判定条件を用いてもよく、またメニュー画面を利用してユーザが好みの表示形態を設定するようにしてもよい。
【０１３９】
以上説明したように、本発明の一実施形態や変形例においては、複数用意された設定項目の中から使用する設定項目を選択するための操作画面（例えば、スーパーコントロール画面２０、ライブコントロール画面３０、ライブガイド画面４０）を表示部１３７に表示させ、操作画面から別の操作画面に切り替わりを表示させる表示制御部１１５と、操作画面から別の操作画面に切り替えるために操作する操作部（例えば、操作部材１３９ｃ、１３９ｄ）と、を具備し、表示制御部は、操作画面から別の操作画面に切り替わるときに、設定項目の表示態様の変化を表示させている（例えば、図３において、２２ａ，２２ｂ，２２ｃ，２２ｄ，２２ｅの変化）。このため、操作画面の切り替わり前後で表示位置の関係が容易に分かる。
【０１４０】
また、本発明の一実施形態や変形例においては、複数用意された設定項目の中から使用する設定項目を選択するための操作画面を表示部に表示させる表示ステップ（例えば、図１６のＳ７，Ｓ１１、Ｓ１５）と、操作画面から別の操作画面に切り替えるために操作がなされたかを検出する操作検出ステップと（例えば、図１６のＳ１７）、操作検出ステップにおいて、切り替えのための操作がなされたことを検出した場合に、操作画面から別の操作画面に切り替わりを表示させる表示切替ステップと（例えば、図１６のＳ１９、図１８）、を具備し、表示切替ステップは、操作画面から別の操作画面に切り替わるときに、設定項目の表示態様の変化を表示させている（例えば、図１８のＳ６５）。このため、操作画面の切り替わり前後で表示位置の関係が容易に分かる。
【０１４１】
なお、本実施形態においては、操作画面として、スーパーコントロール画面２０、ライブコントロール画面３０、およびライブガイド画面４０を例示として挙げたが、これに限らず、また操作画面の数としては、更に追加してもよく、また一部を省略してもよい。また、実施形態では、これらの操作画面の全ての切り替えについて記載しなかったが、同様に切り替えることができ、また変形例も同様に適用でき、適宜、組み合わせてもよい。
【０１４２】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話、スマートフォン、携帯情報端末（ＰＤＡ：Personal Digital Assist）、パーソナルコンピュータ（ＰＣ）、タブレット型コンピュータ、ゲーム機器等に内蔵されるカメラでも構わない。いずれにしても、本発明は、撮影機能を有さない機器であっても、操作画面を有する機器であれば適用できる。
【０１４３】
また、本明細書において説明した技術のうち、主にフローチャートで説明した制御に関しては、プログラムで設定可能であることが多く、記録媒体や記録部に収められる場合もある。この記録媒体、記録部への記録の仕方は、製品出荷時に記録してもよく、配布された記録媒体を利用してもよく、インターネットを介してダウンロードしたものでもよい。
【０１４４】
また、特許請求の範囲、明細書、および図面中の動作フローに関して、便宜上「まず」、「次に」等の順番を表現する言葉を用いて説明したとしても、特に説明していない箇所では、この順で実施することが必須であることを意味するものではない。
【０１４５】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１４６】
２０・・・スーパーコントロール画面、３０・・・ライブコントロール画面、４０・・・ライブガイド画面、１００・・・カメラ、１１１・・・撮影レンズ、１１３・・・シャッタ、１１５・・・絞り、１１９・・・撮像素子、１２１・・・画像処理部、１２３・・・撮像制御部、１２５・・・シャッタ制御部、１２７・・・絞り制御部、１２９・・・レンズ制御部、１３１・・・記録部、１３３・・・フラッシュメモリ、１３５・・・表示制御部、１３７・・・表示部、１３９・・・操作部、１３９ａ〜１３９ｄ・・・操作部材、１５０・・・制御部、１５５・・・ＡＦ制御部、１５７・・・ＡＥ制御部
【図１】
2015219818.tif 000003
【図１６】
2015219818.tif 000004
【図１７】
2015219818.tif 000005
【図１８】
2015219818.tif 000006
【図２】
2015219818.tif 000007
【図３】
2015219818.tif 000008
【図４】
2015219818.tif 000009
【図５】
2015219818.tif 000010
【図６】
2015219818.tif 000011
【図７】
2015219818.tif 000012
【図８】
2015219818.tif 000013
【図９】
2015219818.tif 000014
【図１０】
2015219818.tif 000015
【図１１】
2015219818.tif 000016
【図１２】
2015219818.tif 000017
【図１３】
2015219818.tif 000018
【図１４Ａ】
2015219818.tif 000019
【図１４Ｂ】
2015219818.tif 000020
【図１４Ｃ】
2015219818.tif 000021
【図１５】
2015219818.tif 000022